(57)【要約】【課題】インクジェット記録方法を用い、複次色を有する画像を記録した場合でも、色転びを発生することのないインクを提供すること。【解決手段】少なくとも、色材として式（１）の化合物を含むインクジェット用インクであって、式（１）の化合物の可溶化基数／分子量の値が２．０×１０-3以上であり、前記インクが、蒸発率が７０％以上である水溶性有機溶剤の１種又は複数をインク中に１０質量％以上含み、かつ、インク中の全ての水溶性有機溶剤中における、蒸発率が７０％以上である水溶性有機溶剤の占める割合が５０質量％以上であることを特徴とするインクジェット用インク。【選択図】なし【特許請求の範囲】
【請求項１】
少なくとも、色材として下記式（１）の化合物を含むインクジェット用インクであって、
下記式（１）の化合物の可溶化基数／分子量の値が２．０×１０-3以上であり、
前記インクが、蒸発率が７０％以上である水溶性有機溶剤の１種又は複数をインク中に１０質量％以上含み、かつ、インク中の全ての水溶性有機溶剤中における、蒸発率が７０％以上である水溶性有機溶剤の占める割合が５０質量％以上であることを特徴とするインクジェット用インク。
2008163186.tif 000034
（上記式（１）中、Ｒ1は、置換若しくは非置換アルキル基、置換若しくは非置換アルコキシ基、又は置換若しくは非置換アリール基を表す。Ｒ2は、水素原子、アルキル基、ヒドロキシアルキル基、シクロヘキシル基、モノ若しくはジアルキルアミノアルキル基、又はシアノアルキル基を表す。Ｒ3は、水素原子、置換若しくは非置換アルコキシ基、又は置換若しくは非置換フェノキシ基を表す。Ｒ4は、水素原子、置換若しくは非置換アルキル基、又は置換若しくは非置換アリール基を表す。）
【請求項２】
蒸発率が７０％以上である水溶性有機溶剤の１種又は複数をインク中に１０質量％以上含み、インク中の全ての水溶性有機溶剤中における、蒸発率が７０％以上である水溶性有機溶剤の占める割合が５０質量％以上であるインクと共に用いられる請求項１に記載のインクジェット用インク。
【請求項３】
複数のインクを有するインクセットであって、
前記インクセットを構成するインクのうち少なくとも１種のインクが請求項１に記載のインクジェット用インクであり、
前記インクセットを構成する他の少なくとも１種のインクが、蒸発率が７０％以上である水溶性有機溶剤の１種又は複数をインク中に１０質量％以上含み、インク中の全ての水溶性有機溶剤中における、蒸発率が７０％以上である水溶性有機溶剤の占める割合が５０質量％以上であることを特徴とするインクセット。
【請求項４】
インクをインクジェット方法で吐出して記録媒体に記録を行うインクジェット記録方法であって、前記インクが、請求項１又は２に記載のインクジェット用インクであることを特徴とするインクジェット記録方法。
【請求項５】
インクを収容するインク収容部を備えたインクカートリッジであって、前記インクが、請求項１又は２に記載のインクジェット用インクであることを特徴とするインクカートリッジ。
【発明の詳細な説明】
【技術分野】
【０００１】
本発明は、他のインクと複次色を形成した場合でも、画像設計上予測した色調と実際の記録物との色調との差が小さいインクジェット用インク（以下単に「インク」という場合がある）、該インクを用いたインクセット、記録方法及びインクカートリッジに関する。
【背景技術】
【０００２】
インクジェット記録方法は、インク小滴を普通紙及び光沢メディアなどの記録媒体上に付与して、画像を形成する記録方法であり、その低価格化や記録速度の向上により、急速に普及が進んでいる。また、その記録物の高画質化が進んだことに加えて、デジタルカメラの急速な普及に伴い、銀塩写真と匹敵する写真画像の出力方法として、広く一般的になっている。近年、インク滴の極小液滴化や多色インクの導入に伴う色域の向上など、より高画質化が進んでいる。
【０００３】
一方で、銀塩写真と比較した場合のインクジェット記録方式の問題点として、得られた記録物の画像保存性が挙げられる。インクジェット記録方法により得られた記録物は、一般的に、銀塩写真と比べ、その画像保存性が低い。また、記録物が光、湿度、熱、空気中に存在する環境ガスなどに長時間曝された際に、記録物上の色材が劣化し、画像の色調変化や褪色が発生しやすいといった問題がある。したがって画像保存性の向上には、従来から数多くの技術改善が為されている。
【０００４】
例えば、インクの色材として特定の構造を有するアントラピリドン系色材を用いることにより、インクの堅牢性を向上させたものが開示されている（特許文献１及び２参照）。これらのインクで形成された画像は、非常に優れた堅牢性を有している。
【０００５】
インクジェット記録方法により、二次色や複次色を記録する場合、通常、複数のインクを重ねて記録する。例えば、シアンインク、マゼンタインク、イエローインクを有しているインクジェット記録装置により、レッドの画像を記録する場合はマゼンタインクとイエローインクとを重ねて記録する。また、グリーンの画像を記録する場合はイエローインクとシアンインクとを重ねて記録する。また、ブルーの画像を記録する場合はマゼンタインクとシアンインクとを重ねて記録する。また、グレーの画像を記録する場合は、シアンインクとマゼンタインクとイエローインクを重ねて記録する。
【０００６】
従来、これら複数のインクを重ねて記録する場合、各インク単色のＣＩＥ（国際照明委員会）が定めるＬ*ａ*ｂ*の値から複次色の色調を予測し、複次色を有する画像に対して、どのインクをどの比率で記録するかを設計し、記録を行う。このように記録した記録物の色調と前記設計において予測した色調（以下、「予測した色調」と言うことがある）とを比較すると、若干異なる場合もある。ただし、若干異なるといっても、目視で判別することは難しく、これまで、記録物の色調と、予測した色調との若干の差異は問題になることはなかった。
【特許文献１】特開２００２−３３２４１９号公報
【特許文献２】特開２００３−１９２９３０号公報
【発明の開示】
【発明が解決しようとする課題】
【０００７】
ところが、本発明者らが鋭意検討したところ、インクに使用する色材や水溶性有機溶剤の組み合わせによっては、予測した色調と記録物の色調とで大幅な差異が発生するという現象が起きる場合があることを発見した。当然のことながら、この大幅な差異は、目視で判別することができる。本発明においては、この予測した色調と記録物の色調との大幅な差異が発生する現象を「色転び」と呼ぶこととする。
【０００８】
また、本発明者らが検討を行ったところ、１のインクのみを用いて形成した画像においては色転びが発生しなくても、別のインクと重ねて記録を行うことにより形成された画像において色転びが発生することがあるということもわかった。そして、この色転びが発生する原因について、さらに検討したところ、特定の可溶化基数／分子量の値を有するアントラピリドン系化合物で発生する場合が多いことを突き止めた。
【０００９】
色転びを回避するためには、該アントラピリドン系化合物を使用しなければよい。しかし、アントラピリドン系化合物は、色味と堅牢性を両立しているという特性を有する化合物であり、記録物の高堅牢性が求められている今日において、記録物の高堅牢性を実現するためには、該化合物の使用を回避することはできない。色材として該アントラピリドン系化合物を単独で含有するインクはもちろんのこと、色材として該化合物に加えて他の化合物を用いた、所謂調色グレーインク、調色ブラックインクなど、その用途は非常に広い。該アントラピリドン系化合物は、前述のように、色調と堅牢性とが両立した化合物であり、かつその用途が広い。したがって該アントラピリドン系化合物を用いた場合でも、色転びを発生させることなく、いかに使いこなしていくかが課題である。
【００１０】
したがって本発明の目的は、インクジェット記録方法を用い、複次色を有する画像を記録した場合でも、色転びを発生することのないインク、該インクを用いたインクセット及びインクカートリッジを提供することである。
【課題を解決するための手段】
【００１１】
本発明者らが検討したところ、前記アントラピリドン系化合物を含むインクを用いて、他のインクと重ねて記録を行っても、ある特定のインク組成で記録を行うことで、上記課題を打破し、色転びを発生させないことに成功した。
【００１２】
すなわち、本発明は、少なくとも、色材として下記式（１）の化合物を含むインクジェット用インクであって、下記式（１）の化合物の可溶化基数／分子量の値が２．０×１０-3以上であり、前記インクが、蒸発率が７０％以上である水溶性有機溶剤の１種又は複数をインク中に１０質量％以上含み、かつ、インク中の全ての水溶性有機溶剤中における、蒸発率が７０％以上である水溶性有機溶剤の占める割合が５０質量％以上であることを特徴とするインクジェット用インク、該インクを使用するインクセット、インクジェット記録方法及びインクカートリッジを提供する。
【００１３】
2008163186.tif 000002
（上記式（１）中、Ｒ1は、置換若しくは非置換アルキル基、置換若しくは非置換アルコキシ基、又は置換若しくは非置換アリール基を表す。Ｒ2は、水素原子、アルキル基、ヒドロキシアルキル基、シクロヘキシル基、モノ若しくはジアルキルアミノアルキル基、又はシアノアルキル基を表す。Ｒ3は、水素原子、置換若しくは非置換アルコキシ基、又は置換若しくは非置換フェノキシ基を表す。Ｒ4は、水素原子、置換若しくは非置換アルキル基、又は置換若しくは非置換アリール基を表す。）
【発明の効果】
【００１４】
本発明の効果は、複次色を有する画像を記録した場合でも色転びのないインク、及びこれを用いたインクセット、インクジェット記録方法及びインクカートリッジを提供することである。
【発明を実施するための最良の形態】
【００１５】
以下に好ましい実施の形態を挙げて本発明をさらに詳細に説明する。
上記で述べたように、本発明者らは、色転びが発生するのは主として、インクが、特定の可溶化基数／分子量の値を有するアントラピリドン系化合物を特定の含有量で含むことが原因であることを知見した。そこで本発明者らが検討を行った結果、下記式（１）の化合物を含み、さらに、特定の溶剤組成を有するインクを用いることで、色転びの発生を抑制できることを知見した。
【００１６】
2008163186.tif 000003
（上記式（１）中、Ｒ1は、置換若しくは非置換アルキル基、置換若しくは非置換アルコキシ基、又は置換若しくは非置換アリール基を表す。Ｒ2は、水素原子、アルキル基、ヒドロキシアルキル基、シクロヘキシル基、モノ若しくはジアルキルアミノアルキル基、又はシアノアルキル基を表す。Ｒ3は、水素原子、置換若しくは非置換アルコキシ基、又は置換若しくは非置換フェノキシ基を表す。Ｒ4は、水素原子、置換若しくは非置換アルキル基、又は置換若しくは非置換アリール基を表す。）
【００１７】
本発明を主として特徴づける前記式（１）で表される化合物の具体的な例示化合物及び可溶化基数／分子量の値を以下に挙げるが、本発明はこれらの例示化合物に限定されるわけではない。なお、例示化合物はイオンの形態で示す。
【００１８】
2008163186.tif 000004
【００１９】
2008163186.tif 000005
【００２０】
2008163186.tif 000006
【００２１】
2008163186.tif 000007
【００２２】
なお、前記式（１）の化合物は、インク中に１種又は２種以上組み合わせて含有させることができる。色転びは、詳細には後述するが、インク中の色材の含有量が、インク受容層が吸着できる色材の量を上回る場合に起こりやすい。具体的には、インク中における、式（１）の化合物の含有量（質量％）が、インク全質量を基準として１質量％以上である場合に、色転びが起こりやすい。しかし、アントラピリドン系化合物が有する、色調と堅牢性を両立するという特性を充分に得るためには、式（１）の化合物の含有量は１質量％以上であることが好ましい。また、色材として式（１）の化合物に加えて他の化合物を用いた調色インクとする場合にインクの色調などを整えるためにも、式（１）の化合物の含有量は１質量％以上であることが好ましい。また、インク中における式（１）の化合物の含有量（質量％）の上限は、インク全質量を基準として、１０質量％以下、さらには５質量％以下とすることが好ましい。
【００２３】
本発明者が、前記式（１）の化合物について、その可溶化基数／分子量の値に着目した理由は次の通りである。本発明者らは、インク受容層を有する記録媒体への、色材を含むインクの吸着量の差が色転びに起因していると推測した。また、インクの吸着量の差は色材の可溶化基数／分子量の値に起因していると推測したからである。ここで、可溶化基とは、リン酸基、カルボキシル基、スルホン酸基などの色材の水への溶解又は分散に寄与する官能基のことである。なお、本発明において、式（１）の化合物における可溶化基数／分子量の値を算出する際の分子量とは、式（１）の化合物中の可溶化基が解離した、イオンの状態での分子量のことである。
【００２４】
可溶化基数／分子量の値が２．０×１０-3未満では、分子量に対する可溶化基の割合が低すぎるために、前記式（１）の化合物がインク中に析出する場合がある。また、仮に溶解したとしても、該インクを含むインクカートリッジをインクジェット記録装置に装着した場合に、固着性が低下する場合や、記録を短時間休止した後に再度記録を行うような場合における吐出性の低下が起こる場合がある。したがって、本発明の効果を得るためには、前記式（１）の化合物の可溶化基数／分子量の値が２．０×１０-3以上でなくてはならない。
【００２５】
本発明者らは、記録物の色転びが発生した際の解決策として、前記式（１）の化合物の水溶性有機溶剤への溶解度に着目した。該溶解度に着目した理由は次の通りである。前記式（１）の化合物、及び前記式（１）の化合物を溶解しやすい水溶性有機溶剤（良溶媒）を含有するインクを、インク受容層を有する記録媒体に付与すると、インク受容層が吸着しきれなかった色材は、前記水溶性有機溶剤に溶解又は分散した状態となる。さらに、該インクの前後に記録媒体に付与された、該インクとは別のインクによって、インク受容層中で前記色材が動いてしまう場合がある。その結果として、色転びが発生してしまうと推測したためである。
【００２６】
そこで、本発明者らは、前記式（１）の化合物を含むインク中に、前記式（１）の化合物を溶解しにくい水溶性有機溶剤（貧溶媒）を含有させることで、上記課題を解決できると考えた。つまり、前記式（１）の化合物及び貧溶媒を含有するインクを、インク受容層を有する記録媒体に付与すると、インク受容層が吸着しきれなかった色材は、インクが貧溶媒を含むため、速やかに固液分離し、結果として、色転びを抑制できると考えた。
【００２７】
しかしながら、実際には、前記式（１）の化合物を含むインクに、貧溶媒を含有させても、色転びを抑制することはできなかった。この理由としては、前記式（１）の化合物に対する貧溶媒といっても、前記式（１）の化合物を微量であれば溶解することができる。このとき、該インクとは別のインクを付与することによって、貧溶媒に溶解した状態の前記式（１）の化合物がインク受容層中で動いてしまうために、色転びが発生すると考えられる。
【００２８】
そこで、本発明者らは、色転びを抑制することができる水溶性有機溶剤について検討を行い、前記式（１）の化合物を有するインクに含まれる水溶性有機溶剤の蒸発率に着目した。ここで、本発明における蒸発率とは、水溶性有機溶剤を外径３１ｍｍ、高さ１５ｍｍのシャーレに５ｇ入れ、温度６０℃の環境下において７２時間保存する。その後、シャーレ中に存在していた水溶性有機溶剤の質量（保存後の水溶性有機溶剤の質量）を測定する。このとき蒸発率は、前記で測定した「保存後の水溶性有機溶剤の質量」の値と、仕込んだ水溶性有機溶剤の質量（保存前の水溶性有機溶剤の質量）とから、下記の式に基づいて、水溶性有機溶剤の質量の変化率を算出した値のことである。
2008163186.tif 000008
【００２９】
蒸発率が低い水溶性有機溶剤がインク中に含まれている場合や、前記式（１）の化合物を含むインクが付与される前後に該蒸発率の低い水溶性有機溶剤を含むインクが付与された場合を想定する。この場合、インク受容層が吸着しきれなかった色材が、該蒸発率の低い水溶性有機溶剤中に色材が溶解又は分散した状態で、インク受容層中にとどまり、インク受容層中で前記色材が動く。このような現象が色転び発生の原因であると推測している。
【００３０】
本発明において、上記のようにして算出する水溶性有機溶剤の蒸発率が７０％以上であることで、色転びを抑制できる理由は明確には明らかではないが、本発明者らは、以下のように推測している。水溶性有機溶剤の蒸発率が７０％以上の場合、インクが記録媒体に付与された後、該水溶性有機溶剤は速やかに蒸発し、インク受容層に吸着しきれなかった色材も速やかに固液分離を起こし、それ以上インク受容層中を移動しない。このような理由により、色転びを抑制できると推測している。一方、該水溶性有機溶剤の蒸発率が７０％未満の場合、インクが記録媒体のインク受容層に付与された後、該水溶性有機溶剤はインク受容層中にとどまってしまう。結果として、インク受容層が吸着しきれなかった色材がインク受容層中を移動することができるため、色転びを抑制することができないと推測している。
【００３１】
本発明のインクにおいては、上記した蒸発率が７０％以上である水溶性有機溶剤は、インク中に１０質量％以上存在することが必要である。蒸発率が７０％以上である水溶性有機溶剤の含有量が１０質量％未満であると、該水溶性有機溶剤が少なすぎるために、色転びを抑制することができない場合がある。さらには、該水溶性有機溶剤の含有量は、インク中に１０質量％以上３０質量％以下であることが好ましい。インク中に該水溶性有機溶剤が３０質量％を超えて存在すると、インクジェット記録装置に、該インクが充填されたインクカートリッジを搭載後、長期間放置された場合に、インクが記録ヘッドの吐出口で固着する場合がある。そのため、吐出性の低下が起こる場合があるため、好ましくない。
【００３２】
また、本発明のインクにおいては、インク中の全ての水溶性有機溶剤中における、上記した蒸発率が７０％以上である水溶性有機溶剤の占める割合が、５０質量％以上であることが必要である。インク中の全ての水溶性有機溶剤中における、蒸発率が７０％以上である水溶性有機溶剤の割合が５０質量％未満であると、インク受容層中に該水溶性有機溶剤がとどまってしまう。その結果、インク受容層が吸着しきれなかった色材がインク受容層中を移動することができるため、色転びを抑制することができない場合がある。さらには、インク中の全ての水溶性有機溶剤中における、蒸発率が７０％以上である水溶性有機溶剤の割合が５０質量％以上８０質量％以下であることが好ましい。前記割合が８０質量％を超えると、インクジェット記録装置に、該インクが充填されたインクカートリッジを搭載後、長期間放置された場合に、インクが記録ヘッドの吐出口で固着する場合がある。そのため、吐出性の低下が起こる場合があるため、好ましくない。
【００３３】
本発明の好ましい実施の形態は、具体的には、以下の通りである。蒸発率が７０％以上である水溶性有機溶剤の１種又は複数をインク中に１０質量％以上含み、インク中の全ての水溶性有機溶剤中における、蒸発率が７０％以上である水溶性有機溶剤の占める割合が５０質量％以上であるインクと共に用いる前記のインクである。
【００３４】
ここで、本発明において、本発明のインクと共に用いられるインク（以下「併用インク」という場合がある）とは、ある記録物を、インクジェット記録装置を用いて記録する場合に、本発明のインクが記録媒体に付与される前後に、付与されるインクのことである。この併用インクは、本発明のインクを含むインクカートリッジとは、異なるインクカートリッジに充填されている。本発明のインクを含むインクカートリッジと、本発明のインクと併用インクを含むインクカートリッジは、インクジェット記録装置に装着する場合、隣同士であっても、離れていても、どちらでもよい。インクジェット記録装置を用いて、カラー画像を記録する場合、通常使用されるインクは、複数のインクであることが殆どである。
【００３５】
本発明のインクを用いるだけでも、色転びをある程度抑制することは可能である。しかし、色転びをさらに効果的に抑制するためには、本発明のインクと併用インクを共に、以下の構成とすることが好ましい。すなわち、本発明のインクと併用インク中に、蒸発率が７０％以上である水溶性有機溶剤の１種又は複数を１０質量％以上含み、全ての水溶性有機溶剤中における、蒸発率が７０％以上である水溶性有機溶剤の占める割合が５０質量％以上であることが、さらに好ましい。該併用インク中に含まれる水溶性有機溶剤は、蒸発率が７０％以上であることが好ましい理由は、明確には明らかではない。しかしながら、本発明者らはその理由を以下のように推測している。
【００３６】
該併用インク中に含まれる水溶性有機溶剤の蒸発率が７０％未満では、本発明のインク中に含まれる色材の、インク受容層を有する記録媒体中での固液分離を阻害してしまう可能性があるために、好ましくない。反対に、該併用インク中の水溶性有機溶剤の蒸発率が７０％以上であれば、該水溶性有機溶剤は、該記録媒体中で速やかに蒸発する。そして本発明のインク中に含まれる色材の、該記録媒体中での固液分離を阻害することがないので、色転びをより効果的に抑制できると考えている。
【００３７】
該併用インク中に、蒸発率が７０％以上である水溶性有機溶剤は１０質量％以上存在することが好ましい。蒸発率が７０％以上である水溶性有機溶剤の含有量が１０質量％未満では、色転びをより抑制することが難しく、好ましくない。さらには、該併用インク中に、該水溶性有機溶剤の含有量が、１０質量％以上３０質量％未満であることが好ましい。該併用インク中に水溶性有機溶剤が３０質量％を超えて存在すると、該併用インクの固着性が悪くなる場合がある。また、該併用インクが充填されたインクカートリッジを装着したインクジェット記録装置が長期間放置された場合に、該併用インクが記録ヘッドの吐出口で固着する場合がある。結果として、本発明のインクと該併用インクとの吐出性のバランスが崩れ、記録物のカラーバランスが崩れてしまう可能性があり、好ましくない。
【００３８】
また、該併用インクにおいては、併用インク中の全ての水溶性有機溶剤中における、上記した蒸発率が７０％以上である水溶性有機溶剤の占める割合が、５０質量％以上であることが好ましい。併用インク中の全ての水溶性有機溶剤中における、上記した蒸発率が７０％以上である水溶性有機溶剤の占める割合が５０質量％未満でも、本発明のインクの色転びを悪化させることはないと考えられる。しかし、前記割合が５０質量％未満であると、該併用インクに蒸発率が７０％以上である水溶性有機溶剤を用いても、本発明のインクが含む色材の、記録媒体中での固液分離を阻害してしまい、色転びをより抑制することが難しい場合がある。さらには、併用インク中の全ての水溶性有機溶剤中における、上記した蒸発率が７０％以上である水溶性有機溶剤の占める割合が、５０質量％以上８０質量％以下であることがより好ましい。該水溶性有機溶剤が該併用インク中に占める割合が８０質量％を超えると、該併用インクの固着性が悪くなる場合がある。また、インクジェット記録装置に、該併用インクが充填されたインクカートリッジを装着したインクジェット記録装置が長期間放置された場合に、該併用インクが記録ヘッドの吐出口で固着する場合がある。結果として、本発明のインクと該併用インクとの吐出性のバランスが崩れ、記録物のカラーバランスが崩れてしまう可能性があり、好ましくない。
【００３９】
本発明で使用される色材の検証には、高速液体クロマトグラフィーを用いた下記（１）〜（３）の検証方法が適用できる。
（１）ピークの保持時間
（２）（１）のピークにおける極大吸収波長
（３）（１）のピークにおけるマススペクトルのＭ／Ｚ（ｐｏｓｉ、ｎｅｇａ）
【００４０】
上記（１）及び（２）の高速液体クロマトグラフィーの分析条件は以下の通り。
約１，０００倍に純水で希釈したインク溶液に対して、下記の条件で高速液体クロマトグラフィーでの分析を行い、ピークの保持時間（ｒｅｔｅｎｔｉｏｎ  ｔｉｍｅ）、及びピークの極大吸収波長を測定する。
【００４１】
・カラム：Ｓｙｍｍｅｔｒｙ  Ｃ１８  ２．１ｍｍ×１５０ｍｍ
各移動相のグラジエント条件
2008163186.tif 000009
・流速：０．２ｍｌ／ｍｉｎ
・カラム温度：４０℃
・ＰＤＡ：２００ｎｍ〜７００ｎｍ
【００４２】
上記（３）のマススペクトルの分析条件については以下の通り。
得られたピークに対して、下記の条件でマススペクトルを測定し、最も強く検出されたＭ／Ｚをｐｏｓｉ、ｎｅｇａそれぞれに対して測定する。
・イオン化法
・ＥＳＩ
キャピラリ電圧：３．５ｋＶ
脱溶媒ガス：３００℃
イオン源温度：１２０℃
・検出器
ｐｏｓｉ：４０Ｖ  ２００−１５００ａｍｕ／０．９ｓｅｃ
ｎｅｇａ：４０Ｖ  ２００−１５００ａｍｕ／０．９ｓｅｃ
【００４３】
例えば、前記例示化合物１に対しての保持時間、極大吸収波長、Ｍ／Ｚ（ｐｏｓｉ）、Ｍ／Ｚ（ｎｅｇａ）の値を下記表２に示す。
2008163186.tif 000010
【００４４】
さらに、グレーインク中に前記式（１）の化合物とともに使用されるその他の色材としては、以下に挙げる色材が好ましい。
（イエロー色材）
Ｃ．Ｉ．ダイレクトイエロー：８、１１、１２、２７、２８、３３、３９、４４、５０、５８、８５、８６、８７、８８、８９、９８、１００、１１０、１３２、１７３など。
Ｃ．Ｉ．アシッドイエロー：１、３、７、１１、１７、２３、２５、２９、３６、３８、４０、４２、４４、７６、９８、９９など。
Ｃ．Ｉ．ピグメントイエロー：１、２、３、１２、１３、１４、１５、１６、１７、７３、７４、７５、８３、９３、９５、９７、９８、１１４、１２８、１３８、１８０など。
【００４５】
また、好ましく用いられる他の色材として、以下の色材が挙げられる。
2008163186.tif 000011
（上記式（２）中、ｍはそれぞれ独立に１又は２を表す。Ｍ1はそれぞれ独立に水素原子、アルカリ金属、アルカリ土類金属、有機アミンのカチオン、又はアンモニウムイオンを表す。）
【００４６】
上記式（２）に示した好適な例として、特に限定されるものではないが、具体的には、下記表３のような構造の色材が挙げられる。なお、表３において、便宜上、下記式（３）のようにＡ環、Ｂ環とし、スルホン酸基の位置を示す。スルホン酸基の置換位置も下記式（３）で定義した通りである。
【００４７】
2008163186.tif 000012
【００４８】
2008163186.tif 000013
【００４９】
前記式（３）に示した化合物の更なる好例としては、特に限定されるものではないが、具体的には、下式に示す例示化合物Ｙ１が挙げられる。
2008163186.tif 000014
【００５０】
（マゼンタ色材）
Ｃ．Ｉ．ダイレクトレッド：２、４、９、１１、２０、２３、２４、３１、３９、４６、６２、７５、７９、８０、８３、８９、９５、１９７、２０１、２１８、２２０、２２４、２２５、２２６、２２７、２２８、２２９、２３０など。
Ｃ．Ｉ．アシッドレッド：６、８、９、１３、１４、１８、２６、２７、３２、３５、４２、５１、５２、８０、８３、８７、８９、９２、１０６、１１４、１１５、１３３、１３４、１４５、１５８、１９８、２４９、２６５、２８９など。
Ｃ．Ｉ．フードレッド：８７、９２、９４など。
Ｃ．Ｉ．ダイレクトバイオレット：１０７など。
Ｃ．Ｉ．ピグメントレッド：２、５、７、１２、４８：２、４８：４、５７：１、１１２、１２２、１２３、１６８、１８４、２０２など。
【００５１】
（シアン色材）
Ｃ．Ｉ．ダイレクトブルー：１、１５、２２、２５、４１、７６、７７、８０、８６、９０、９８、１０６、１０８、１２０、１５８、１６３、１６８、１９９、２２６、３０７など。
Ｃ．Ｉ．アシッドブルー：１、７、９、１５、２２、２３、２５、２９、４０、４３、５９、６２、７４、７８、８０、９０、１００、１０２、１０４、１１２、１１７、１２７、１３８、１５８、１６１、２０３、２０４、２２１、２４４など。
Ｃ．Ｉ．ピグメントブルー：１、２、３、１５、１５：２、１５：３、１５：４、１６、２２、６０など。
【００５２】
また、好ましく用いられることができるこの他の色材として、以下の色材が挙げられる。
2008163186.tif 000015
【００５３】
（上記式（４）中、ｌ＝０乃至２、ｍ＝１乃至３、ｎ＝１乃至３、ただし、ｌ＋ｍ＋ｎ＝３乃至４、置換基の置換位置は、４位又は４’位を表す。Ｍはアルカリ金属又はアンモニウムを表す。Ｒ1及びＲ2は、それぞれ独立に水素原子、スルホン酸基、カルボキシル基（ただし、Ｒ1及びＲ2が同時に水素原子となる場合を除く。）を表す。Ｙは、塩素原子、ヒドロキシル基、アミノ基、又はモノ若しくはジアルキルアミノ基を表す。）
【００５４】
上記式（４）で示す色材は４−スルホフタル酸誘導体又は４−スルホフタル酸誘導体と（無水）フタル酸誘導体を金属化合物の存在下に反応させることで得られるフタロシアニン化合物を原料に用いて合成する。スルホン酸基をクロロスルホン酸基に変換した後、有機アミン存在下にアミノ化剤を反応させたフタロシアニン化合物とする。すなわち、上記式（４）中の４位及び４’位に限定して無置換スルファモイル基（−ＳＯ2ＮＨ2）と置換スルファモイル基（下記式（５））を導入したフタロシアニン化合物であるという特徴を持つ。かかる化合物を色材として用いたインクが極めて耐環境ガス性が優れていることを見出した。
【００５５】
2008163186.tif 000016
【００５６】
上記式（５）で表される化合物の具体例としては、遊離酸の形で下記の構造となる例示化合物が挙げられ、特にＣ１の例示化合物が好ましく用いられる。
2008163186.tif 000017
【００５７】
2008163186.tif 000018
【００５８】
2008163186.tif 000019
【００５９】
2008163186.tif 000020
【００６０】
2008163186.tif 000021
【００６１】
2008163186.tif 000022
【００６２】
2008163186.tif 000023
【００６３】
（その他の色材）
本発明は、本発明のインクの他にも、必要に応じてその他のインクを使用することができる。以下にこれらのインクに含有することができる色材の例を挙げるが、本発明はこれらに限定されるわけではない。
Ｃ．Ｉ．アシッドオレンジ：７、８、１０、１２、２４、３３、５６、６７、７４、８８、９４、１１６、１４２など。
Ｃ．Ｉ．アシッドレッド：１１１、１１４、２６６、３７４など。
Ｃ．Ｉ．ダイレクトオレンジ：２６、２９、３４、３９、５７、１０２、１１８など。
【００６４】
Ｃ．Ｉ．フードオレンジ：３など。
Ｃ．Ｉ．リアクティブオレンジ：１、４、５、７、１２、１３、１４、１５、１６、２０、２９、３０、８４、１０７など。
Ｃ．Ｉ．ディスパースオレンジ：１、３、１１、１３、２０、２５、２９、３０、３１、３２、４７、５５、５６など。
Ｃ．Ｉ．ピグメントオレンジ：４３など。
Ｃ．Ｉ．ピグメントレッド：１２２、１７０、１７７、１９４、２０９、２２４など。
Ｃ．Ｉ．アシッドグリーン：１、３、５、６、９、１２、１５、１６、１９、２１、２５、２８、８１、８４など。
【００６５】
Ｃ．Ｉ．ダイレクトグリーン：２６、５９、６７など。
Ｃ．Ｉ．フードグリーン：３など。
Ｃ．Ｉ．リアクティブグリーン：５、６、１２、１９、２１など。
Ｃ．Ｉ．ディスパースグリーン：６、９など。
Ｃ．Ｉ．ピグメントグリーン：７、３６など。
Ｃ．Ｉ．アシッドブルー：６２、８０、８３、９０、１０４、１１２、１１３、１４２、２０３、２０４、２２１、２４４など。
Ｃ．Ｉ．リアクティブブルー：４９など。
Ｃ．Ｉ．アシッドバイオレット：１７、１９、４８、４９、５４、１２９など。
Ｃ．Ｉ．ダイレクトバイオレット：９、３５、４７、５１、６６、９３、９５、９９など。
【００６６】
Ｃ．Ｉ．リアクティブバイオレット：１、２、４、５、６、８、９、２２、３４、３６など。
Ｃ．Ｉ．ディスパースバイオレット：１、４、８、２３、２６、２８、３１、３３、３５、３８、４８、５６など。
Ｃ．Ｉ．ピグメントブルー：１５：６など。
Ｃ．Ｉ．ピグメントバイオレット：１９、２３、３７など。
Ｃ．Ｉ．ダイレクトブラック：１７、１９、２２、３１、３２、５１、６２、７１、７４、１１２、１１３、１５４、１６８、１９５など。
Ｃ．Ｉ．アシッドブラック：２、４８、５１、５２、１１０、１１５、１５６など。
Ｃ．Ｉ．フードブラック：１、２など。
カーボンブラック。
【００６７】
（色材の吸着量）
また、本発明者らは、インク受容層にインクを受容するためのアルミナのようなカチオン性電荷を有する多孔体を含有する記録媒体への、色材の吸着量にも着目した。該吸着量に着目したのは、インクが記録媒体に付与された後の、記録媒体中のインク受容層への各色材の吸着量が、記録物の色転びの発生に影響していると考えたためである。
【００６８】
アルミナへの下記色材の吸着量を測定すると、以下のようになる。
・前記例示化合物１                    ４５ｍｇ／ｇ  Ａｌ2Ｏ3
・Ｃ．Ｉ．ダイレクトイエロー１３２    ９０ｍｇ／ｇ  Ａｌ2Ｏ3
・前記例示化合物Ｃ１                  ９４ｍｇ／ｇ  Ａｌ2Ｏ3
なお、上記例示化合物Ｃ１とは、式（４）のフタロシアニン骨格に、置換スルファモイル基として例示化合物Ｃ１が置換した化合物のことである。
【００６９】
上記アルミナへの吸着量の測定方法は、濃度既知の染料水溶液を撹拌しながら、所定量のアルミナゾルを添加し、十分に撹拌する。撹拌後、遠心分離を行い、上澄み液をろ過後、吸光度より上記吸着量を算出する。Ｃ．Ｉ．ダイレクトイエロー１３２や例示化合物Ｃ１は、アルミナ１ｇへの吸着量が９０ｍｇ以上であるのに対して、例示化合物１は、４５ｍｇである。つまり、例示化合物１は、アルミナへの吸着力が低いことがわかる。アルミナへの吸着量が低いということは、先述のように、例示化合物１は、他の色材と比較して、吸着しきれない色材がアルミナ中に相当量存在することであり、色転び発生の原因の一つになっている可能性があると考えている。
【００７０】
（水性媒体）
本発明のインクには、水又は水及び水溶性有機溶剤の混合溶媒である水性媒体を用いることができる。本発明のインクにおいては、蒸発率が７０％以上である水溶性有機溶剤の１種又は複数をインク中に１０質量％以上含むことが必要である。さらに、インク中の全ての水溶性有機溶剤中における、蒸発率が７０％以上である水溶性有機溶剤の占める割合が５０質量％以上であることが必要である。蒸発率が７０％以上の水溶性有機溶剤としては、エチレングリコール、メタノール、エタノール、ｎ−プロパノールが挙げられる。勿論、本発明はこれらに限られるものではなく、先述の方法で測定した蒸発率が７０％以上である水溶性有機溶剤であれば、いずれのものも用いることができる。
【００７１】
また、本発明のインクには、上記した条件を満たせば、蒸発率が７０％以上である水溶性有機溶剤以外の水溶性有機溶剤、すなわち、蒸発率が７０％未満の水溶性有機溶剤をさらに含有させることができる。そのような水溶性有機溶剤の例としては、以下のものが挙げられる。Ｎ，Ｎ−ジメチルホルムアミド又はＮ，Ｎ−ジメチルアセトアミドなどのカルボン酸アミド。アセトン、メチルエチルケトン、２−メチル−２−ヒドロキシペンタン−４−オンなどのケトン、又は、ケトアルコール。テトラヒドロフラン、ジオキサンなどの環状エーテル。グリセリン、ジエチレングリコール、トリエチレングリコール、テトラエチレングリコール、１，２−又は１，３−プロピレングリコール、１，２−又は１，４−ブチレングリコール、ポリエチレングリコールなど。また、１，３−ブタンジオール、１，５−ペンタンジオール、１，２−ヘキサンジオール、１，６−ヘキサンジオール、ジチオグリコール、２−メチル−１，３−プロパンジオール、１，２，６−ヘキサントリオールなど。また、アセチレングリコール誘導体、トリメチロールプロパンなどの多価アルコール類。エチレングリコールモノメチル（又はエチル）エーテル、ジエチレングリコールモノメチル（又はエチル）エーテル、トリエチレングリコールモノエチル（又はブチル）エーテルなどの多価アルコールのアルキルエーテル類。２−ピロリドン、Ｎ−メチル−２−ピロリドン、１，３−ジメチル−２−イミダゾリジノン、Ｎ−メチルモルホリンなどの複素環類。ジメチルスルホキシドなどの含硫黄化合物などが好適な例として挙げられる。
【００７２】
また、水は脱イオン水（イオン交換水）を用いることが好ましい。水の含有量は、インク全質量に対して１０質量％以上９０質量％以下であることが好ましい。
【００７３】
（その他の添加剤）
また、本発明のインクには、これ以外に、尿素、及び、尿素誘導体など、界面活性剤、ｐＨ調整剤、キレート剤、防錆剤、防腐剤、防黴剤、紫外線吸収剤、粘度調整剤、消泡剤、及び、水溶性ポリマーなど、種々の添加剤を含有させてもよい。
【００７４】
界面活性剤としては、例えば、アニオン界面活性剤、両性界面活性剤、カチオン界面活性剤、ノニオン界面活性剤などが挙げられる。
アニオン界面活性剤としては、以下のものが挙げられる。アルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、アルキル硫酸塩など。また、ポリオキシアルキルエーテル硫酸塩、アルキル硫酸塩、ポリオキシエチレンアルキルエーテル燐酸塩、ロジン酸石鹸、ヒマシ油硫酸エステル塩、ラウリルアルコール硫酸エステル塩など。また、アルキルフェノール型燐酸エステル、アルキル型燐酸エステル、アルキルアリルスルホン塩酸、ジエチルスルホ琥珀酸塩、ジエチルヘキシルスルホ琥珀酸ジオクチルスルホ琥珀酸塩など。
【００７５】
カチオン界面活性剤としては、２−ビニルピリジン誘導体、ポリ４−ビニルピリジン誘導体などがある。
【００７６】
両性界面活性剤としては、以下のものが挙げられる。ラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、イミダゾリン誘導体など。
【００７７】
ノニオン界面活性剤としては、以下のものが挙げられる。
ポリオキシエチレンノニルフェニルエーテル、ポリオキシエチレンオクチルフェニルエーテル、ポリオキシエチレンドデシルフェニルエーテルなどのエーテル系。
ポリオキシエチレンラウリルエーテル、ポリオキシエチレンオレイルエーテルなどのポリオキシエチレンアルキルエーテル系。
ポリオキシエチレンオレイン酸、ポリオキシエチレンオレイン酸エステル、ポリオキシエチレンジステアリン酸エステルなど。また、ソルビタンラウレート、ソルビタンモノステアレート、ソルビタンモノオレエート、ソルビタンセスキオレエート、ポリオキシエチレンモノオレエート、ポリオキシエチレンステアレートなどのエステル系。
２，４，７，９−テトラメチル−５−デシン−４，７−ジオール、３，６−ジメチル−４−オクチン−３，６−ジオール、３，５−ジメチル−１−ヘキシン−３−オールなどのアセチレングリコール系。例えば、川研ファインケミカル社製アセチレノールＥＨ、日信化学社製サーフィノール１０４、８２、４６５、オルフィンＳＴＧなどが挙げられる。
【００７８】
ｐＨ調整剤としては、インクのｐＨを所定の範囲に制御できるものであれば任意の物質を使用できる。例えば、以下のものが挙げられる。ジエタノールアミン、トリエタノールアミン、イソプロパノールアミン、トリスヒドロキシメチルアミノメタンなどのアルコールアミン化合物など。水酸化リチウム、水酸化カリウムなどのアルカリ金属の水酸化物など。水酸化アンモニウム、又は炭酸リチウム、炭酸ナトリウム、炭酸カリウムなどのアルカリ金属の炭酸塩など。
【００７９】
防腐、防黴剤としては、例えば、以下のものが挙げられる。有機硫黄系、有機窒素硫黄系、有機ハロゲン系、ハロアリルスルホン系、ヨードプロパギル系、Ｎ−ハロアルキルチオ系、ベンツチアゾール系、ニトリル系、ピリジン系、８−オキシキノリン系。また、ベンゾチアゾール系、イソチアゾリン系、ジチオール系、ピリジンオキシド系、ニトロプロパン系、有機スズ系、フェノール系、第４アンモニウム塩系、トリアジン系、チアジアジン系、アニリド系、アダマンタン系。また、ジチオカーバメイト系、ブロム化インダノン系、ベンジルブロムアセテート系、無機塩系などの化合物が挙げられる。
【００８０】
有機ハロゲン系化合物としては、例えば、ペンタクロロフェノールナトリウムが挙げられる。ピリジンオキシド系化合物としては、例えば、２−ピリジンチオール−１−オキサイドナトリウムが挙げられる。無機塩系化合物としては、例えば、無水酢酸ソーダが挙げられる。イソチアゾリン系化合物としては、例えば、１，２−ベンズイソチアゾリン−３−オン、２−ｎ−オクチル−４−イソチアゾリン−３−オン、５−クロロ−２−メチル−４−イソチアゾリン−３−オンなど。また、５−クロロ−２−メチル−４−イソチアゾリン−３−オンマグネシウムクロライド、５−クロロ−２−メチル−４−イソチアゾリン−３−オンカルシウムクロライドなどが挙げられる。
その他の防腐、防黴剤としてソルビン酸ソーダ、安息香酸ナトリウムなど、例えば、アベシア社製プロキセルＧＸＬ（Ｓ）、プロキセルＸＬ−２（Ｓ）などが挙げられる。
【００８１】
キレート剤としては、例えば、クエン酸ナトリウム、エチレンジアミン四酢酸ナトリウム、二ニトロ三酢酸ナトリウム、ヒドロキシエチルエチレンジアミン三酢酸ナトリウム、ジエチレントリアミン五酢酸ナトリウム、ウラミル二酢酸ナトリウムなどが挙げられる。
【００８２】
防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライトなどが挙げられる。
【００８３】
紫外線吸収剤としては、例えばベンゾフェノン系化合物、ベンゾトリアゾール系化合物、桂皮酸系化合物、トリアジン系化合物、スチルベン系化合物などが挙げられる。又は、ベンズオキサゾール系化合物に代表される紫外線を吸収して蛍光を発する化合物、いわゆる蛍光増白剤も用いることができる。
【００８４】
粘度調整剤としては、水溶性有機溶剤の他に、水溶性高分子化合物が挙げられ、例えばポリビニルアルコール、セルロース誘導体、ポリアミン、ポリイミンなどが挙げられる。
消泡剤としては、フッ素系、シリコーン系化合物が必要に応じて用いられる。
【００８５】
（インクセット）
本発明のインクは、他のインクと組み合わせたインクセットに好ましく使用することができる。さらには、本発明のインクと、上記した併用インクとのインクセットとして用いることが好ましい。勿論、インクセットが有するインクが、本発明のインク及び上記した併用インク以外のインクを含んでも良い。特に本発明においては、複数のインクを有するインクセットのうち、少なくとも１種のインクとして本発明のインクを用い、インクセットを構成する他のインクが全て上記した併用インクであることが好ましい。なお、本発明におけるインクセットは、インクセットを構成する各インクを収容する複数のインク収容部が一体に形成されたインクカートリッジや、インクセットを構成する各インクが別のインクカートリッジとなっているものを組み合わせて用いることも含む。
【００８６】
（インクジェット記録方法）
本発明のインクは、インクを吐出して記録媒体に記録を行うインクジェット記録方法に好ましく使用することができる。特に、インクに熱エネルギーを作用させて記録媒体に記録を行うインクジェット記録方法にさらに好ましく使用できる。
【００８７】
（インクカートリッジ）
本発明のインクを用いて記録を行うのに好適なインクカートリッジとしては、これらのインクが収容されるインク収容部を有するインクカートリッジが挙げられる。以下に本発明のインクを用いて記録を行うのに好適なインクカートリッジの具体例を示す。図１は、本発明のインクを用いて記録を行うのに好適なインクカートリッジの概略説明図であり、断面図である。
【００８８】
図１中、インクカートリッジは、上部で大気連通口１１２を介して大気に連通し、下部でインク供給口に連通する。また、インクカートリッジは、内部に負圧発生部材を収容する負圧発生部材収納室１３４と、液体のインクを収容する実質的に密閉された液体収納室１３６とに仕切壁１３８でもって仕切られている。そして、負圧発生部材収納室１３４と液体収納室１３６とはインクカートリッジの底部付近で仕切壁１３８に形成された連通孔１４０及び液体供給動作時に液体収納室への大気の導入を促進するための大気導入溝（大気導入路）１５０を介してのみ連通されている。負圧発生部材収納室１３４を画成するインクカートリッジの上壁には、内部に突出する形態で複数個のリブが一体に成形され、負圧発生部材収納室１３４に圧縮状態で収容される負圧発生部材と当接している。このリブにより、上壁と負圧発生部材の上面との間にエアバッファ室が形成されている。また、液体供給口１１４を備えたインク供給筒には、負圧発生部材より毛管力が高くかつ物理的強度の強い圧接体１４６が設けられており、負圧発生部材と圧接している。
【００８９】
負圧発生部材収納室内には、負圧発生部材として、ポリエチレンなど、オレフィン系樹脂の繊維からなる第一の負圧発生部材１３２Ｂ及び第二の負圧発生部材１３２Ａの２つの毛管力発生型負圧発生部材を収納している。１３２Ｃはこの２つの負圧発生部材の境界層であり、境界層１３２Ｃの仕切壁１３８との交差部分は、連通部を下方にしたインクカートリッジの使用時の姿勢において大気導入溝（大気導入路）１５０の上端部より上方に存在している。また、負圧発生部材内に収容されているインクは、インクの液面Ｌで示されるように、上記境界層１３２Ｃよりも上方まで存在している。
【００９０】
ここで、第一の負圧発生部材と第二の負圧発生部材の境界層は圧接しており、負圧発生部材の境界層近傍は他の部位と比較して圧縮率が高く、毛管力が強い状態となっている。すなわち、第一の負圧発生部材の毛管力をＰ１、第二の負圧発生部材の持つ毛管力をＰ２、負圧発生部材同士の界面の持つ毛管力をＰＳとすると、Ｐ２＜Ｐ１＜ＰＳとなっている。
【００９１】
図２は、本発明のインクを用いて記録を行うのに好適な、さらに別のインクカートリッジの概略説明図であり、断面図である。該インクカートリッジは、イエロー（Ｙ）、マゼンタ（Ｍ）、シアン（Ｃ）の３色のインクを収容する容器４１と、容器４１を覆う蓋部材４２とを有する。容器４１の内部は、３色のインクを収容するために、互いに平行に配置された２つの仕切板４１１、４１２により、容量がほぼ等しい３つの空間に仕切られる。これら３つの空間は、互いにホルダへカラーのインクカートリッジを装着する際のインクカートリッジの挿入方向に沿って並んでいる。
【００９２】
また、これら各空間に、それぞれイエローのインクを吸収して保持するインク吸収体４４Ｙ、マゼンタのインクを吸収して保持するインク吸収体４４Ｍ、及びシアンのインクを吸収して保持するインク吸収体４４Ｃが収納されている。また、負圧発生部材であるインク吸収体４４Ｙ、インク吸収体４４Ｍ、インク吸収体４４Ｃ内に収容されているインクは、インクの液面Ｌで示されるように、夫々のインク吸収体の上部まで存在している。
【００９３】
図３は、本発明のインクを用いて記録を行うのに好適な、さらに別の、記録ヘッドとインクタンクが一体構成となっているインクカートリッジの分解図である。記録ヘッドはシアン、マゼンタ、イエローの３色のインクを吐出させるためのもので、図３の分解斜視図に示すような構成を有する。すなわち、記録素子基板Ｈ１１０１、電気配線テープＨ１３０１、インク供給保持部材Ｈ１５０１、フィルタＨ１７０１、Ｈ１７０２、Ｈ１７０３、インク吸収体Ｈ１６０１、Ｈ１６０２、Ｈ１６０３、蓋部材Ｈ１９０１、及びシール部材Ｈ１８０１から構成されている。
【００９４】
インク供給保持部材Ｈ１５０１は、インクタンクの機能と、インク供給機能とを備えている。すなわち、インク供給保持部材Ｈ１５０１は、内部にシアン、マゼンタ、イエローのインクを保持するための負圧を発生するための吸収体Ｈ１６０１、Ｈ１６０２、Ｈ１６０３をそれぞれ独立して保持するための空間を有することでインクタンクとして機能する。また、インク供給保持部材Ｈ１５０１は、記録素子基板Ｈ１１０１の各インク供給口にそれぞれインクを導くための独立したインク流路を形成することでインク供給機能を果たす。インク吸収体Ｈ１６０１、Ｈ１６０２、Ｈ１６０３は、ＰＰ繊維を圧縮したものが使われているが、ウレタン繊維を圧縮したものでもよい。各インク流路の上流部のインク吸収体Ｈ１６０１、Ｈ１６０２、Ｈ１６０３との境界部には、記録素子基板Ｈ１１０１内部にゴミの進入を防ぐためのフィルタＨ１７０１、Ｈ１７０２、Ｈ１７０３がそれぞれ溶着により接合されている。各フィルタＨ１７０１、Ｈ１７０２、Ｈ１７０３は、ＳＵＳ金属メッシュタイプでもよいが、ＳＵＳ金属繊維焼結タイプのほうが好ましい。
【００９５】
また、インク供給保持部材の形状を、各液室ごとに大気に露出した部分の表面積をほぼ同面積になるように揃えるのが好ましい形態であり、これによって各液室のインク蒸発量をある程度揃えることができるため蒸発がインク毎に均等になりやすくより好ましい。
【実施例】
【００９６】
以下に実施例及び比較例を挙げて、本発明をより具体的に説明する。なお、本文中「部」及び「％」とあるのは、特別の記載のない限り質量基準である。
【００９７】
（水溶性有機溶剤の蒸発率）
蒸発率は、以下のようにして求めた。水溶性有機溶剤を外径３１ｍｍ、高さ１５ｍｍのシャーレに５ｇ入れ、温度６０℃の環境下において７２時間保存した。その後、シャーレ中に存在していた水溶性有機溶剤の質量（保存後の水溶性有機溶剤の質量）を測定した。得られた値と、仕込んだ水溶性有機溶剤の質量（保存前の水溶性有機溶剤の質量、ここでは５ｇ）とから、蒸発率を下記の式に基づいて算出した。
2008163186.tif 000024
【００９８】
2008163186.tif 000025
【００９９】
（１）マゼンタインクの調製
以下の表５及び表６に示す各成分を混合し、それぞれポアサイズ０．２μｍのメンブランフィルターで加圧ろ過することで、マゼンタインク１からマゼンタインク１２を得た。
【０１００】
2008163186.tif 000026
【０１０１】
2008163186.tif 000027
【０１０２】
（２）マゼンタインクと併用する、インクＡの調製
下記表７に示す成分を混合し、ポアサイズ０．２μｍのメンブランフィルターで加圧ろ過することで、インクＡを得た。
【０１０３】
2008163186.tif 000028
【０１０４】
［評価］
（色転び）
色転びは、二次色を記録した場合に、特に顕著な現象であるため、本実施例では、二次色を記録し、効果を確認することとする。また、色転びは、一方のインクにアントラピリドン系化合物を含んでいれば、もう一方のインクには、色材を含んでいなくても、発生する現象である。このことから、本実施例では、マゼンタインクとクリアインクとの二次色にて、本発明の効果を確認することとする。当然のことながら、本発明の範囲内に入っていれば、色材を含んだインク同士を用いて、複次色を記録した場合でも、本発明の効果を得ることができる。
【０１０５】
キヤノン製インクジェット記録装置（商品名：ＰＩＸＵＳ９５０ｉ）に、上記表５及び表６で作成したマゼンタインクと上記表７で作成したインクＡとの組み合わせで装着した。その後、キヤノン製プロフォトペーパー（商品名：ＰＲ−１０１）に、二次階調パッチを記録した。なお、前記二次階調パッチは、マゼンタインクを０％デューティから１００％デューティまで１０％デューティ刻みで変化させたパッチを、１００％デューティのインクＡと重ねて記録したパッチである。記録物を一晩放置後、マゼンタインク１００％デューティで記録したパッチと、マゼンタインクとインクＡを合計２００％デューティで記録したパッチのそれぞれのＣＩＥ  Ｌ*ａ*ｂ*を光源：Ｄ５０、視野：２°の条件で測定した。なお、ＣＩＥ  Ｌ*ａ*ｂ*の測定には、分光光度計（Ｓｐｅｃｔｏｒｏｌｉｎｏ；Ｇｒｅｔａｇ  Ｍａｃｂｅｔｈ社製）を用いた。マゼンタインク１００％デューティパッチでのＣＩＥ  Ｌ*ａ*ｂ*の値を（Ｌ1、ａ1、ｂ1）とした。また、マゼンタインク１００％デューティで記録したパッチとマゼンタインクとインクＡを合計２００％デューティで記録したパッチでのＣＩＥ  Ｌ*ａ*ｂ*の値を（Ｌ2、ａ2、ｂ2）とした。そして、下記の式（６）に基づいて色差（ΔＥ）を算出した。
2008163186.tif 000029
【０１０６】
算出したΔＥを以下の評価基準で判定して、色転びの評価を行った。
◎：ΔＥが２未満
○：ΔＥが２以上３未満
×：ΔＥが３以上
◎、○までが許容でき、×は許容できないと判断する。結果は表８の通りである。
【０１０７】
2008163186.tif 000030
【０１０８】
（３）グレーインクの調製
下記表９に示す各成分を混合し、それぞれポアサイズ０．２μｍのメンブランフィルターで加圧ろ過することで、グレー１からグレー５を得た。
【０１０９】
2008163186.tif 000031
【０１１０】
（４）グレーインクと併用するインクＢの調製
下記表１０に示す各成分を混合し、ポアサイズ０．２μｍのメンブランフィルターで加圧ろ過することで、インクＢを得た。
【０１１１】
2008163186.tif 000032
【０１１２】
（評価）
グレーインクの評価を上記マゼンタインクの評価と同様の方法、基準で行った。この色転びの評価結果を表１１に示す。
【０１１３】
2008163186.tif 000033
【図面の簡単な説明】
【０１１４】
【図１】本発明のインクを用いて記録を行うのに好適なインクカートリッジの概略説明図である。
【図２】本発明のインクを用いて記録を行うのに好適なインクカートリッジの概略説明図である。
【図３】本発明のインクを用いて記録を行うのに好適な記録ヘッドとインクタンクが一体構成となっているインクカートリッジの分解図である。
【符号の説明】
【０１１５】
４１：容器
４２：蓋部材
４３Ｙ、４３Ｍ、４３Ｃ：インク供給口
４４Ｙ、４４Ｍ、４４Ｃ：インク吸収体
４５Ｙ、４５Ｍ、４５Ｃ：インク供給部材
４６：抜け止め爪
４７：ラッチレバー
４７ｃ：根元斜面
４８：ラッチ爪
４９：段差部
１１２：大気連通口
１１４：液体供給口
１３２Ａ：第二の負圧発生部材
１３２Ｂ：第一の負圧発生部材
１３２Ｃ：第一の負圧発生部材と第二の負圧発生部材の境界層
１３４：負圧発生部材収納室
１３６：液体収納室
１３８：仕切壁
１４０：連通孔
１４６：圧接体
１５０：大気導入溝（大気導入路）
４１１、４１２：仕切板
Ｈ１１０１：記録素子基板
Ｈ１２０１：インク供給口
Ｈ１３０１：電気配線テープ
Ｈ１３０２：外部信号入力端子
Ｈ１３０３：開口部
Ｈ１３０４：電極端子
Ｈ１３０７：第１の封止剤
Ｈ１３０８：第２の封止剤
Ｈ１５０１：インク供給保持部材
Ｈ１５９０：Ｚ突き当て部
Ｈ１６０１、Ｈ１６０２、Ｈ１６０３：インク吸収体
Ｈ１７０１、Ｈ１７０２、Ｈ１７０３：フィルタ
Ｈ１８０１：シール部材
Ｈ１９０１：蓋部材
Ｈ１９１１、Ｈ１９１２、Ｈ１９１３：微細口
Ｈ１９２１、Ｈ１９２２、Ｈ１９２３：細溝
Ｌ：液体−気体界面
【図１】
2008163186.tif 000035
【図２】
2008163186.tif 000036
【図３】
2008163186.tif 000037